(57)【特許請求の範囲】
【請求項１】
ケーソン本体の下部側に作業室の天井を形成する作業室スラブが形成され、該作業室スラブの直上位置に区画室が形成され、該区画室の天壁から上方に中空シャフトが延長され、前記作業室と前記区画室との間を連通する第１開口が前記作業室スラブに設けられると共に、該第１開口を開閉する第１ハッチが設けられ、前記区画室と前記中空シャフト内との間を連通する第２開口が前記天壁に設けられると共に、該第２開口を開閉する第２ハッチが設けられたニューマチックケーソンであって、
前記区画室の内部で、前記第１開口と第２開口とを結ぶ連通路の周囲に、前記区画室内の空間の容積を減少させる容積減少手段が除去可能に設けられたことを特徴とするニューマチックケーソン。
【請求項２】
前記容積減少手段が、前記区画室内に取外し可能に設けられた壁パネルと、該壁パネルと前記区画室の内壁面との間に充填された非圧縮性充填物とから構成されていることを特徴とする請求項１に記載のニューマチックケーソン。
【請求項３】
前記容積減少手段は、非圧縮性充填物が複数の収容容器に収容されて積重ねられて構成されていることを特徴とする請求項１に記載のニューマチックケーソン。
【請求項４】
前記非圧縮性充填物が水であることを特徴とする請求項２又は３に記載のニューマチックケーソン。
【請求項５】
前記非圧縮性充填物が、前記作業室内で掘削された土砂であることを特徴とする請求項２又は３に記載のニューマチックケーソン。
【請求項６】
前記壁パネルの内側に、移送物の案内を行う棒状のガイド部材が前記連通路に沿う方向に配向して配置されたことを特徴とする請求項２に記載のニューマチックケーソン。
【発明の詳細な説明】
【０００１】
【発明の属する技術分野】
この発明は、ケーソン本体の下部に形成された作業室から掘削土砂を搬出する等のための中空シャフトが設けられたニューマチックケーソンに関する。
【０００２】
【従来の技術】
従来のニューマチックケーソンとしては、例えば図４に示すようなものが知られている。
【０００３】
このニューマチックケーソン３０では、ケーソン本体３２の下部側に作業室スラブ３３が設けられ、作業室スラブ３３の下側に、刃口３４と地山Ｇで囲まれた高圧の作業室３５が形成されている。
【０００４】
作業室スラブ３３の２つの開口３６ａ、３６ｂには、中空シャフトからなるマンシャフト３７と、マテリアルシャフト３８が上方に延長して設けられ、上端にはそれぞれ耐圧構造を有する缶体からなるマンロック４１とマテリアルロック４２が装着されている。
【０００５】
このようなニューマチックケーソン３０では、地山Ｇを掘削した土砂を、バケット４３に積み込み、図示しないクレーンによりマテリアルシャフト３８内で吊り上げ、マテリアルロック４２の第２ハッチ４２ｂ閉じて第１ハッチ４２ａを開いた状態でバケット４３をマテリアルロック４２内に収納し、第１及び第２ハッチ４２ａ、４２ｂを閉じた状態でマテリアルロック４２内の気圧を大気圧に調整してから第２ハッチ４２ｂを開いて外部に搬出している。また、作業員はマンシャフト３７、マンロック４１を経由して同様に出入りしている。
【０００６】
このようなニューマチックケーソン３０では、地山Ｇの掘削が進んでケーソン本体３２が沈下すると、マンシャフト３７やマテリアルシャフト３８を継ぎ足す必要がある。ところが、マンシャフト３７やマテリアルシャフト３８の上端にはマンロック４１やマテリアルロック４２が装着されているため、継ぎ足し時に、一旦、マンロック４１、マテリアルロック４２を取り外し、継ぎ足し後に再度取り付けなければならず、継ぎ足し作業に手間がかかっていた。しかも、マンロック４１とマテリアルロック４２も耐圧構造を有する缶体からなるものであるため高価であり、施工コストが嵩む原因となっていた。
【０００７】
そのため、図５に示すようなニューマチックケーソンも用いられている。
【０００８】
このニューマチックケーソン３０では、ケーソン本体３２の下部側に作業室３５の天井を形成する作業室スラブ３３が設けられていて、この作業室スラブ３３の直上位置に区画室を形成し、この区画室をマンロック４１及びマテリアルロック４２として使用している。ここでは、マンロック４１及びマテリアルロック４２は、作業室スラブ３３や上部スラブ４６とともに、コンクリート等の打設により一体に形成されている。
【０００９】
これらのマンロック４１及びマテリアルロック４２は、隔壁４５により仕切られていて、それぞれ、作業室３５との間が第１開口４７ａ、４７ｂにより連通し、マンシャフト３７及びマテリアルシャフト３８との間が第２開口４８ａ、４８ｂにより連通している。そして、第１開口４７ａ、４７ｂには第１ハッチ４９ａ、４９ｂが、また、第２開口４８ａ、４８ｂには第２ハッチ５０ａ、５０ｂが、それぞれ設けられていて、これらを閉じるとマンロック４１及びマテリアルロック４２が密閉できるようになっている。
【００１０】
このようなニューマチックケーソン３０では、地山Ｇの掘削が進んでケーソン本体３２が沈下すると、ケーソンとともにマンシャフト３７、マテリアルシャフト３８を継ぎ足すが、その際、従来のようにマンロック４１やマテリアルロック４２を一旦取り外すことなく、そのまま継ぎ足すことができ、継ぎ足し作業を容易に行うことができる。
【００１１】
しかも、マンロック４１やマテリアルロック４２を作業室スラブ３３や上部スラブ４６等とともに一体に形成することができるので、施工コストを低く抑えることが可能であった。
【００１２】
【発明が解決しようとする課題】
ところで、ニューマチックケーソン３０には、ポンプ室や機械室、さらには排水設備等の収容室などを作業室スラブ３３上に設けることがあり、その場合、マンロック４やマテリアルロック５が広く設けられていれば、その内部を利用している。
【００１３】
しかしながら、マンロック４やマテリアルロック５を広く設けると、第１ハッチ４９ａ、４９ｂ及び第２ハッチ５０ａ、５０ｂの開閉時に、マンロック４１及びマテリアルロック４２の内部の空気圧を調整するため、容積が大きい分だけ空気圧の調整時に供給または排出される空気の消費量が多くなり、空気圧の調整時間が長くなったり、騒音が大きくなる等の問題点があった。さらに、マンロック４及びマテリアルロック５を最小限の大きさに形成し、新たに別の区画室を設けるとすると、区画室の数が増えて施工時に手間が掛かる上、施工終了後にマンロック４及びマテリアルロック５が無駄になるという問題点も有していた。
【００１４】
そこで、この発明は、上記従来の問題点を解決するために、少ない空気消費量で空気圧を調整することができて容積の大きい区画室を有し、しかも、ケーソン本体を沈下させる際の継ぎ足し作業を容易することが可能であって、施工コストも安価に抑えることができるニューマチックケーソンを提供することを目的とする。
【００１５】
【課題を解決するための手段】
かかる目的を達成するために、請求項１に記載の発明は、ケーソン本体の下部側に作業室の天井を形成する作業室スラブが形成され、該作業室スラブの直上位置に区画室が形成され、該区画室の天壁から上方に中空シャフトが延長され、前記作業室と前記区画室との間を連通する第１開口が前記作業室スラブに設けられると共に、該第１開口を開閉する第１ハッチが設けられ、前記区画室と前記中空シャフト内との間を連通する第２開口が前記天壁に設けられると共に、該第２開口を開閉する第２ハッチが設けられたニューマチックケーソンであって、前記区画室の内部で、前記第１開口と第２開口とを結ぶ連通路の周囲に、前記区画室内の空間の容積を減少させる容積減少手段が除去可能に設けられたことを特徴とする。
【００１６】
請求項２に記載の発明は、請求項１に記載の構成に加えて、前記容積減少手段が、前記区画室内に取外し可能に設けられた壁パネルと、該壁パネルと前記区画室の内壁面との間に充填された非圧縮性充填物とから構成されていることを特徴とする。
【００１７】
請求項３に記載の発明は、請求項１に記載の構成に加え、前記容積減少手段は、非圧縮性充填物が複数の収容容器に収容されて積重ねられて構成されていることを特徴とする。
【００１８】
請求項４に記載の発明は、請求項２又は３に記載の構成に加え、前記非圧縮性充填物が水であることを特徴とする。
【００１９】
請求項５に記載の発明は、請求項２又は３に記載の構成に加え、前記非圧縮性充填物が、前記作業室内で掘削された土砂であることを特徴とする。
【００２０】
請求項６に記載の発明は、請求項２に記載の構成に加え、前記壁パネルの内側に移送物の案内を行う棒状のガイド部材が前記連通路に沿う方向に配向して配置されたことを特徴とする。
【００２１】
【発明の実施の形態】
以下、この発明の実施の形態を図を用いて説明する。
【００２２】
〔発明の実施の形態１〕
図１及び図２はこの実施の形態１のニューマチックケーソンを示している。
【００２３】
まず、構成について説明すると、図中、符号１０はニューマチックケーソンであり、ケーソン本体１の下部側に作業室２の天井を形成する作業室スラブ３が設けられていて、この作業室スラブ３の直上位置には区画室としてのマンロック４及びマテリアルロック５が形成されている。
【００２４】
このマンロック４及びマテリアルロック５の天壁は作業室スラブ３の上側に設けられた上部スラブ６により形成され、マンロック４とマテリアルロック５との間が隔壁６ａにより区画されている。また、マンロック４及びマテリアルロック５と作業室２との間は作業室スラブ３により区画され、作業室スラブ３を貫通する第１開口１１ａ、１１ｂによりそれぞれ連通している。
【００２５】
また、上部スラブ６から上方には中空シャフトからなるマンシャフト７及びマテリアルシャフト８が延長して設けられていて、マンロック４及びマテリアルロック５とマンシャフト７及びマテリアルシャフト８との間はそれぞれ上部スラブ６を貫通する第２開口１２ａ、１２ｂにより連通している。
【００２６】
そして、第１開口１１ａ、１１ｂには、閉じることにより第１開口１１ａ、１１ｂを気密に閉塞できる開閉扉からなる第１ハッチ１３ａ、１３ｂが設けられていて、第２開口１２ａ、１２ｂには、同じく閉じることにより第２開口１２ａ、１２ｂを気密に閉塞できる開閉扉からなる第２ハッチ１４ａ、１４ｂが設けられている。この第１ハッチ１３ａ、１３ｂ及び第２ハッチ１４ａ、１４ｂはいずれも手動により開閉可能に構成されていてもよいが、この実施の形態１では、地上からの遠隔操作により、エアシリンダ１８ａ、１８ｂの動作で開閉可能に構成されている。
【００２７】
さらに、マテリアルロック５の内部には、第１開口１１ｂと第２開口１２ｂとを結ぶ連通路２０の周囲に、除去可能な容積減少手段２１が配設されていて、この容積減少手段２１の体積分、マテリアルロック５内の空間の容積を減少させている。
【００２８】
ここで容積減少手段２１としては、マテリアルロック５内の容積を減少させる体積を有するものであれば適宜使用することができるが、この実施形態では、図２に示すように、マテリアルロック５内に取外し可能に設けられた壁パネル２２と、マテリアルロック５の内壁面５ａと壁パネル２２との間に充填された非圧縮性充填物２３とから構成されている。
【００２９】
壁パネル２２は上部側が大径部２２ａとなり、下部側が小径部２２ｂとなっていて、大径部２２ａと小径部２２ｂとが連結リング２２ｃにより連結されている。この小径部２２ｂは、バケット１７が移送可能な範囲で小さい内径に設定されていて、作業室スラブ３と気密に連結して固定されている。また、大径部２２ａは小径部２２ｂより大きい内径に設定されている。そして、大径部２２ａ、小径部２２ｂ及び連結リング２２ｃの外側面は、非圧縮性充填物２３に接触した状態で配置されている。
【００３０】
さらに、壁パネル２２の内側には、棒状のガイド部材２５が配置されている。このガイド部材２５は、連通路２０の軸方向に配向する複数本の棒状体からなる。各ガイド部材２５は、小径部２２ｂから大径部２２ａまで延長して設けられていて、連通路２０内のできるだけ長い範囲でバケット１７を案内可能となっている。なお、大径部２２ａには、大径部２２ａに固定されたステー２５ａに固着されている。
【００３１】
一方、非圧縮性充填物２３は、作業室２内の圧力により、圧縮されず、実質的に体積を維持することが可能な素材からなるものが用いられていて、マテリアルロック５内に充填し易いとともに、除去し易い形態を有するものが好適である。例えば、水等の液体、砂等の粉体や各種微粒子からなる粒体、ブロック等の成形体などを例示することができ、この実施の形態では水が使用されている。
【００３２】
マンロック４及びマテリアルロック５の天壁である上部スラブ６には、それぞれに圧縮空気を供給するための給気管１５ａ、１５ｂと室内の空気を放出するための排気管１６ａ、１６ｂとが上部スラブ６から上方に延長して設けられている。給気管１５ａ、１５ｂは地上に配置された図示しないコンプレッサ等から圧縮空気を室内に供給するように配管され、排気管１６ａ、１６ｂは室内の空気をケーソン本体１の内部の上部に配置された開口部１６ｃ、１６ｄから放出できるように配管されている。さらに、マテリアルロック５では、給気管１５ｂ及び排気管１６ｂが、壁パネル２２の大径部２２ａの内側に、ガイド部材２５の外側となる位置に開口している。
【００３３】
これらの給気管１５ａ、１５ｂ及び排気管１６ａ、１６ｂは、いずれも遠隔操作により開閉可能な弁を備えていてもよいが、この実施の形態１では、手動により開閉可能な弁を備えている。
【００３４】
このような構成のニューマチックケーソン１０では、地山Ｇを掘削した土砂を排出するには、まず、図示しないクレーンで、掘削土砂が積み込まれたバケット１７を、第１ハッチ１３ｂを開いて第２ハッチ１４ｂを閉じた状態で、作業室２からマテリアルロック５まで吊り上げる。そして第１ハッチ１３ｂを閉じ、排気管１６ｂの弁を開けてマテリアルロック５内の空気をケーソン本体１内の上部に放出して減圧する。その後、第２ハッチ１４ｂを開け、マテリアルシャフト８内を通してバケット１７を地上に吊り上げ、外部に搬出し、捨て土する。
【００３５】
そして、バケット１７を、再度、作業室２に投入するには、まず、マテリアルシャフト８内を下降させ、第１ハッチ１３ｂを閉じて第２ハッチ１４ｂを開いた状態で、マテリアルロック５内にバケット１７を戻す。そして、第２ハッチ１４ｂを閉じ、排気管１６ｂの弁を閉じた状態で給気管１５ｂの弁を開けて、給気管１５ｂから圧縮空気をマテリアルロック５内に送り、作業室２内と略同一の圧力まで加圧する。そして、第１ハッチ１３ｂを開いて作業室２内にバケット１７を投入する。
【００３６】
また、作業員が作業室２内に進入または退出するには、マテリアルロック５と同様に、第１ハッチ１３ａ及び第２ハッチ１４ａを開閉させてマンロック４内に作業者を収容し、その後、排気管１６ａ及び給気管１５ａの弁を開閉してマンロック４内の空気圧を調整して行えばよい。
【００３７】
このようなニューマチックケーソン１０では、地山Ｇの掘削が進んでケーソン本体１が沈下することにより、作業室スラブ３及び上部スラブ６が下降し、それに対応してマンシャフト７、マテリアルシャフト８上部端部が下降したら、ケーソンとともにマンシャフト７、マテリアルシャフト８を継ぎ足す。
【００３８】
その際、作業室スラブ３の直上位置にマンロック４やマテリアルロック５が設けられ、このマンロック４やマテリアルロック５の天壁である上部スラブ６から上方にマンシャフト７やマテリアルシャフト８が延長されているため、マンシャフト７やマテリアルシャフト８を継ぎ足すのに、従来のようにマンロック４やマテリアルロック５を一旦取り外す必要がなく、容易に継ぎ足し作業を行うことができる。そのため、高所作業が少なくて安全性が高い上、大型のクレーンを用いる必要がなくて、また、作業時間を短縮することができ、工期の短縮やコストの削減を図ることが可能である。
【００３９】
さらに、これらのマンロック４やマテリアルロック５は作業室スラブ３や上部スラブ６とともにコンクリートの打設などにより一体に形成でき、肉厚の厚い金属等を使用した耐圧構造を有する缶体等に比べて安価なものになっている。そのため、施工コストをさらに低く抑えることが可能である。
【００４０】
また、マテリアルロック５の内部に、第１開口１１ｂと第２開口１２ｂとを結ぶ連通路２０の周囲に容積減少手段２１が設けられているので、予めマテリアルロック５を用いるバケット１７の大きさに拘わらず大きく形成し、その後にバケット１７に合わせた大きさに調整することができる。そして、このように容積減少手段２１によりマテリアルロック５内の空間の容積を減少させれば、マテリアルロック５内の空気圧を調整するために必要な空気量が少なくて済み、空気圧調整時に供給或いは排出される空気量を減らすことができ、空気圧の調整時間を少なくすることができる。
【００４１】
しかも、このマテリアルロック５はケーソン本体の下部に形成されているので、圧縮空気の排出時の音が外部に伝達されにくい上に、排出される空気量も少なくできるので、圧縮空気の排出時の騒音を少なくすることができる。
【００４２】
そして、このようなニューマチックケーソン１０では、施工中或いは施工後に、例えばポンプ室や機械室、さらには排水設備等の収容室などが必要になった場合には、容積減少手段２１が除去可能に設けられていて、非圧縮性充填物２３を除去したり、必要により、さらに、壁パネル２を除去したりすることが可能となっているので、これらの一部或いは全部を除去することにより、容易にマテリアルロック５の容積を増加することができる。そのため、マテリアルロック５をポンプ室等の他の用途に利用する場合にも、十分な容積を確保することが可能である。
【００４３】
また、この実施の形態１では、容積減少手段２１が、マテリアルロック５内に取外し可能に設けられた壁パネル２２と、壁パネル２２とマテリアルロック５の内壁面５ａとの間に充填された非圧縮性充填物２３とから構成されているので、連通路２０を壁パネル２２で確実に区画することができ、非圧縮性充填物２３が変位や変形を起こし易いものであっても、連通路２０が変形したり、閉塞したりすることがない。また、壁パネル２２の外側を非圧縮性充填物２３で支持することができ、マテリアルロック５内から壁パネル２２に負荷される応力を非圧縮性充填物２３により受けることができるため、壁パネル２２を強固な耐圧構造にする必要がなく、コストを低く抑えることが可能である。
【００４４】
しかも、非圧縮性充填物２３として水を使用しているため、マテリアルロック５の内壁面５ａと壁パネル２２との間に非圧縮性充填物２３を充填したり、除去したりする場合にも、移送し易くて作業が容易である。
【００４５】
さらに、壁パネル２２の内側に棒状のガイド部材２５が連通路２０に沿う方向に配向して配置されているので、連通路２０を通してバケット１７を繰り返し移送する際、バケット１７が棒状のガイド２５に案内されて移送し易く、また、壁パネル２２にバケット１７が接触することがないので、壁パネル２２の磨耗や破損を防止することができる。
【００４６】
〔発明の実施の形態２〕
次に、他の発明の実施の形態について説明する。
【００４７】
この実施の形態のニューマチックケーソン１では、図３に示すように、マテリアルロック５内に充填された非圧縮性充填物２３が、作業室２内で掘削された土砂を複数の袋等の収容容器２７に収容した状態で、積重ねて構成されている他は、発明の実施の形態１と同様である。
【００４８】
このようなニューマチックケーソン１によれば、非圧縮性充填物２３が複数の収容容器２７に収容されて積重ねられているので、変形自在な集合体である掘削土砂を非圧縮性充填物２３として用いても、収容容器２７を積み重ねるだけで、非圧縮性充填物２３を一定の位置に配置することができ、連通路２０が非圧縮性充填物２３の変位により変形したり、閉塞するようなことがない。
【００４９】
しかも、この実施の形態２では、大径部２２ａ及び小径部２２ｂを有する壁パネル２２を用いなくても、複数積み重ねられた収容容器２７により連通路２０を形成することも可能である。
【００５０】
また、非圧縮性充填物２３が作業室内で掘削された土砂であるので、施工時に多量に発生する掘削土砂をニューマチックケーソン１内で再利用することができ、非圧縮性充填物２３のコストを削減することが可能であるとともに、排土を減らすことが可能である。
【００５１】
なお、本発明は以上のような実施の形態１または２に限定されるものではなく、適宜変更可能である。
【００５２】
例えば、上記実施の形態では、壁パネルとして気密性を有するものを用いたが、連通路を確保することができれば、気密性のない部材により壁パネルを形成してもよい。さらに、連通路を確保することができる範囲で、壁パネルを用いずに容積減少手段を構成することも可能である。
【００５３】
また、上記では、流体、粉体、粒体等の非圧縮性充填物を使用したが、コンクリートやモルタル等を用いて容積減少手段を構成してもよい。その場合、コンクリートやモルタルを除去し易い形状にしたり、フック等の係止手段等を設けておくのがよい。
【００５４】
【発明の効果】
以上詳述の通り、請求項１に記載の発明によれば、作業室スラブの直上位置に区画室を形成し、区画室の天壁から上方に中空シャフトを延長し、作業室と区画室との間の作業室スラブに第１開口と第１ハッチを設け、区画室と中空シャフト内との間の天壁に第２開口と第２ハッチを設けたので、中空シャフトを継ぎ足す際に、区画室を取り外す必要がなく、ケーソン本体を沈下させる際の中空シャフトの継ぎ足し作業を容易することができ、また、継ぎ足し作業が容易な上に区画室を作業室スラブ等とともに一体に安価に形成できるので、施工コストも低く抑えることができる。
【００５５】
しかも、区画室の内部で、第１開口と第２開口とを結ぶ連通路の周囲に容積減少手段が設けられて、区画室内の空間の容積を減少させることができるので、区画室内を移送する物の大きさに拘わらず容積の大きい区画室を設けても、区画室内の空気圧を調整する際の空気量を少なくすることが可能である。そのため、空気圧調整時に供給或いは排出される空気量を減らすことができ、調整時間を少なくすることができるとともに、騒音を少なくすることができる。
【００５６】
一方、容積減少手段が除去可能に設けられているので、容積減少手段を除去するだけで、容易に区画室内の容積を増加することができる。そのため、区画室を他の用途に利用しやすい。
【００５７】
また、請求項２に記載の発明によれば、請求項１の効果に加えて、容積減少手段が、区画室内に取外し可能に設けられた壁パネルと、この壁パネルと区画室の内壁面との間に充填された非圧縮性充填物とから構成されているので、連通路を壁パネルで区画することができる。そのため、非圧縮性充填物の変位や変形により連通路が変形したり、閉塞したりすることを防止でき、また、壁パネルの外側を非圧縮性充填物により支持することができるので、区画室内から壁パネルに負荷される応力を非圧縮性充填物により受けることができ、壁パネルを強固にする必要がなくて、コストを低く抑えることが可能である。
【００５８】
さらに、請求項３に記載の発明によれば、請求項１の効果に加えて、容積減少手段が、非圧縮性充填物を複数の収容容器に収容して積重ねて構成されているので、液体や粉体、粒体等の変形自在な非圧縮性充填物を用いても、収容容器に収容して積み重ねるだけで一定の位置に配置することができ、連通路が非圧縮性充填物の変位により変形したり、閉塞することがない。
【００５９】
また、請求項４に記載の発明によれば、請求項２又は３の効果に加えて、非圧縮性充填物が水であるため、移送し易く、区画室の内壁面と壁パネルとの間に充填し易いとともに除去し易くて、作業が容易になる。
【００６０】
さらに、請求項５に記載の発明によれば、請求項２又は３に記載の効果に加え、非圧縮性充填物が作業室内で掘削された土砂であるので、ケーソン工法により多量に発生する土砂をケーソン内で再利用することができ、非圧縮性充填物のコストを削減することが可能であるとともに、排土を減らすことが可能である。
【００６１】
さらに、請求項６に記載の発明によれば、請求項２の効果に加え、壁パネルの内側に移送物の案内を行う棒状のガイド部材が連通路に沿う方向に配向して配置されているので、連通路を通してバケット等の移送物を繰り返し移送する際、移送物が棒状のガイドに案内されるため、移送し易く、また、壁パネルに移送物が接触することがないので、壁パネルの破損を防止することができる。
【図面の簡単な説明】
【図１】  この発明の実施の形態１のニューマチックケーソンを示す縦断面図図である。
【図２】  同実施の形態のニューマチックケーソンのマテリアルロックを拡大して示す縦断面図である。
【図３】  この発明の実施の形態２のニューマチックケーソンのマテリアルロックを拡大して示す縦断面図である。
【図４】  マンロック及びマテリアルロックを中空シャフトの上部に設けた従来のニューマチックケーソンの縦断面図である。
【図５】  マンロック及びマテリアルロックを中空シャフトの下部に設けた従来のニューマチックケーソンの縦断面図である。
【符号の説明】
１  ケーソン本体
２  作業室
３  作業室スラブ
４  マンロック（区画室）
５  マテリアルロック（区画室）
６  上部スラブ（天壁）
７  マンシャフト（中空シャフト）
８  マテリアルシャフト（中空シャフト）
１０  ニューマチックケーソン
１１ａ、１１ｂ  第１開口
１２ａ、１２ｂ  第２開口
１３ａ、１３ｂ  第１ハッチ
１４ａ、１４ｂ  第２ハッチ
１７  バケット
２０  連通路
２１  容積減少手段
２２  壁パネル
２３  非圧縮性充填物
２５  ガイド部材
２７  収容容器
【図１】
0003880885.tif 000002
【図２】
0003880885.tif 000003
【図３】
0003880885.tif 000004
【図４】
0003880885.tif 000005
【図５】
0003880885.tif 000006